(57)【要約】【課題】電動氷削機の回転羽根を取り付けた駆動軸を回り止めする回り止め部材が破損するのを防ぐ。【解決手段】電動氷削機１０は、ベースケーシング１１に歯車伝達機構３０の歯車３１ａの歯部に係合する係合位置と離脱する離脱位置との間で進退可能に支持され、歯車３１ａの歯部に係合することで駆動軸２３を回り止めする回り止め部材４１と、回り止め部材４１が離脱位置から係合位置に移動するのを規制する規制位置と移動を許可する解除位置との間で進退可能に支持されたストッパ４４とを備え、蓋体１６が氷容器１２の上面開口を覆うときにストッパ４４を規制位置に位置させ、蓋体１６が氷容器１２の上面開口を覆わないときにストッパ４４を解除位置に位置させた。【選択図】図２
2015219001.tif 000002
【特許請求の範囲】
【請求項１】
モータを内蔵したベースケーシングと、
前記ベースケーシングの上部に設けられ、上面開口から投入する角氷を収容する氷容器と、
前記氷容器の周面に形成したスリットよりなる氷排出口から内部に突出して設けた氷切削刃と、
前記ベースケーシングの内部から前記氷容器の内部に突出して設けられて、前記モータの駆動によって回転駆動する駆動軸と、
前記ベースケーシングの内部にて少なくとも一対の歯車対を有し、前記モータの駆動を前記駆動軸に伝達する歯車伝達機構と、
前記氷容器内にて前記駆動軸に螺着によって着脱可能に取り付けられ、前記駆動軸による回転駆動を受けて前記氷容器内を回転する回転羽根と、
前記氷容器の上面開口を開閉自在に覆う蓋体とを備え、
前記モータの駆動を前記歯車伝達機構によって前記駆動軸に伝達し、前記駆動軸の回転駆動により回転する前記回転羽根によって前記氷容器内に投入した角氷を回転させて遠心力を付与し、前記氷容器の内周面に押しつけられながら回転する角氷を前記氷切削刃によって削り取り、削り取られた氷を前記氷排出口から落下させるようにした電動氷削機において、
前記ベースケーシングには前記歯車伝達機構を構成する何れか１つの歯車の歯部に係合する係合位置と離脱する離脱位置との間で進退可能に支持され、前記歯車の歯部に係合することで前記駆動軸を回り止めをする回り止め部材と、前記回り止め部材が前記離脱位置から前記係合位置に移動するのを規制する規制位置と移動を許可する解除位置との間で進退可能に支持されたストッパとを備え、
前記蓋体が前記氷容器の上面開口を覆うときに前記ストッパを前記規制位置に位置させ、前記蓋体が前記氷容器の上面開口を覆わないときに前記ストッパを前記解除位置に位置させたことを特徴とする電動氷削機。
【請求項２】
請求項１に記載の電動氷削機において、
前記蓋体には、同蓋体が前記氷容器の上面開口を覆うときに前記モータを駆動するように操作可能とした操作部材を備えたことを特徴とする電動氷削機。
【請求項３】
請求項１または２に記載の電動氷削機において、
前記歯車伝達機構は前記モータの回転駆動を減速させて前記駆動軸に伝達する歯車減速機構であり、前記回り止め部材を前記モータの出力軸に設けた歯車の歯部に係合させるようにしたことを特徴とする電動氷削機。
【発明の詳細な説明】
【技術分野】
【０００１】
本発明は、かき氷等の削り氷を製造する電動氷削機に関する。
【背景技術】
【０００２】
特許文献１には、かき氷等の削り氷を製造する電動氷削機が開示されている。この電動氷削機は、モータを内蔵したベースケーシングと、ベースケーシングの上部に着脱可能に設けられて、上面開口から投入した氷を収容する円錐台形の内周面を有する氷容器と、氷容器の周面に形成したスリットよりなる氷排出口から内部に突出して設けた氷切削刃と、氷容器内に回転自在に設けられて、モータの駆動を受けて回転する回転羽根と、氷容器の上面開口を開閉自在に塞ぐ蓋体とを備えている。
【０００３】
この電動氷削機は、モータの駆動により回転駆動する駆動軸がベースケーシングの内部から氷容器の内部に突出して設けられており、駆動軸の上端部にて軸線方向に穿設したねじ穴にボルトを螺合させることによって回転羽根が駆動軸に固定されている。また、駆動軸とモータの出力軸との間には２対の歯車対を有した歯車伝達機構が設けられており、モータの回転駆動はこの歯車伝達機構によって駆動軸に伝達されている。
【０００４】
この電動氷削機では、蓋体を開放して氷容器内に角氷を収容し、蓋体によって氷容器の上面開口を閉塞させてから、蓋体に設けたモータの駆動スイッチを押動すると、モータの駆動は歯車伝達機構によって駆動軸に伝達され、回転駆動する駆動軸に固定した回転羽根が回転し、氷容器内の角氷は回転する回転羽根によって回転して遠心力が付与される。氷容器内を回転する角氷は漏斗形をした氷容器の周面に遠心力によって押しつけられ、回転する角氷は氷容器の内部に突出して設けた氷切削刃によって削られ、削られた氷は氷排出口から排出される。
【０００５】
上記の電動氷削機では、回転羽根の洗浄を容易とするために、氷容器と回転羽根とはベースケーシングに対して着脱可能に固定されている。この電動氷削機においては、ベースケーシングの上面の前部には駆動軸と同心円の取付座が設けられ、氷容器の下面には駆動軸と同心円で取付座に外嵌するスカート部が設けられており、スカート部を取付座にバヨネット結合機構によって着脱可能に結合することで、氷容器はベースケーシングに対して着脱可能に取り付けられている。氷容器の下面にはベースケーシングの上面を覆うようにしたカバーが一体的に形成されており、ベースケーシングの上面にはカバーの側壁がベースケーシングの側壁に対して連続するように位置決めする定規板が設けられている。定規板の左側壁はベースケーシングの内側に傾斜する傾斜面が形成されており、氷容器はカバーの左側壁の下端部を定規板の左側壁に係合する位置まで回動可能となっている。また、氷容器のスカート部の下端にはカムが形成されているとともに、ベースケーシングの上部には取付座の外側にてカムによって上下動する係合片が設けられている。氷容器のカバーの左側壁が定規板の左側壁に係合する位置まで氷容器を回動させると、係合片がカムによって下側に押しつけられ、係合片はベースケーシング内にて歯車伝達機構を構成する歯車の上面に設けたストッパに係合して駆動軸を回り止めし、駆動軸に螺合したボルトを締め付けるまたは緩める方向に回転させることができる。
【先行技術文献】
【特許文献】
【０００６】
【特許文献１】実開昭６３−１３９４６２号公報
【発明の概要】
【発明が解決しようとする課題】
【０００７】
上記のように構成した電動氷削機においては、氷容器のカバーの左側壁が定規板の左側壁に係合する位置まで氷容器を回動させることで、氷容器のスカート部のカムによって係合片を下側に押しつけるようにし、係合片を歯車の上面に設けたストッパに係合させて駆動軸を回り止めして、回転羽根を固定しているボルトを締め付けるまたは緩めるようにしている。しかし、氷容器の回動位置が正確でないと、カムが係合片を下側に押しつける位置とならず、氷容器の回動位置の調整が面倒であった。また、ベースケーシングの上面にはカムによって上下動する係合片を通す貫通孔が設けられており、この貫通孔と係合片との間の僅かな隙間からベースケーシングの内部に水が流入することがあり、流入した水が歯車伝達機構の各歯車を伝ってモータに付着するおそれがあった。これらの課題を解決する改良を行い、氷容器をベースケーシングに対して回動させることなく、モータの駆動を駆動軸に伝達する歯車伝達機構を構成する歯車の歯部に回り止め部材を係合させることで、駆動軸を回り止めする技術を開発するに至っている。しかし、回り止め部材を歯車伝達機構の歯車の歯部に係合させているときに、モータを誤って作動させるおそれがあり、回り止め部材が破損する新たな課題が発生していた。本発明は、回転羽根を取り付けた駆動軸を回り止めする回り止め部材が破損するのを防ぐことを目的とする。
【課題を解決するための手段】
【０００８】
本発明は上記課題を解決するため、モータを内蔵したベースケーシングと、ベースケーシングの上部に設けられ、上面開口から投入する角氷を収容する氷容器と、氷容器の周面に形成したスリットよりなる氷排出口から内部に突出して設けた氷切削刃と、ベースケーシングの内部から氷容器の内部に突出して設けられて、モータの駆動によって回転駆動する駆動軸と、ベースケーシングの内部にて少なくとも一対の歯車対を有し、モータの駆動を駆動軸に伝達する歯車伝達機構と、氷容器内にて駆動軸に螺着によって着脱可能に取り付けられ、駆動軸による回転駆動を受けて氷容器内を回転する回転羽根と、氷容器の上面開口を開閉自在に覆う蓋体とを備え、モータの駆動を歯車伝達機構によって駆動軸に伝達し、駆動軸の回転駆動により回転する回転羽根によって氷容器内に投入した角氷を回転させて遠心力を付与し、氷容器の内周面に押しつけられながら回転する角氷を氷切削刃によって削り取り、削り取られた氷を氷排出口から落下させるようにした電動氷削機において、ベースケーシングには歯車伝達機構を構成する何れか１つの歯車の歯部に係合する係合位置と離脱する離脱位置との間で進退可能に支持され、歯車の歯部に係合することで駆動軸を回り止めをする回り止め部材と、回り止め部材が離脱位置から係合位置に移動するのを規制する規制位置と移動を許可する解除位置との間で進退可能に支持されたストッパとを備え、蓋体が氷容器の上面開口を覆うときにストッパを規制位置に位置させ、蓋体が氷容器の上面開口を覆わないときにストッパを解除位置に位置させたことを特徴とする電動氷削機を提供するものである。
【０００９】
上記のように構成した電動氷削機においては、ベースケーシングには歯車伝達機構を構成する何れか１つの歯車の歯部に係合する係合位置と離脱する離脱位置との間で進退可能に支持され、歯車の歯部に係合することで駆動軸を回り止めをする回り止め部材と、回り止め部材が離脱位置から係合位置に移動するのを規制する規制位置と移動を許可する解除位置との間で進退可能に支持されたストッパとを備え、蓋体が氷容器の上面開口を覆うときにストッパを規制位置に位置させ、蓋体が氷容器の上面開口を覆わないときにストッパを解除位置に位置させた。蓋体によって氷容器の上面開口を覆っていないときのように削り氷を製造しない状態のときには、ストッパは解除位置となり、回り止め部材を解除位置から係合位置に移動させることができる。この状態で、回り止め部材を解除位置から係合位置に移動させると、回り止め部材は歯車伝達機構の何れか１つの歯車の歯部に係合し、駆動軸は回り止めされ、回転羽根を駆動軸から相対的に回転させることで取り外すことができる。これに対し、蓋体によって氷容器の上面開口を覆っているときのように削り氷を製造可能な状態であるときには、ストッパは規制位置にあるので、回り止め部材を解除位置から係合位置に移動させることができない。これにより、モータを駆動させることで歯車伝達機構を介して駆動軸を回転駆動させるときに、回り止め部材が係合位置で何れか１つの歯車の歯部に係合することがなく、回り止め部材がモータの駆動によって回転する歯車によって破損しないようになった。
【００１０】
特に、蓋体には、蓋体が氷容器の上面開口を覆うときにモータを駆動するように操作可能とした操作部材を備えたときには、蓋体が氷容器の上面開口を覆うようにして操作部材によりモータを駆動するように操作可能な状態であるときに、回り止め部材がストッパによって係合位置に移動させることができないため、回り止め部材がモータの駆動によって回転する歯車によって破損するのを確実に防ぐことができた。
【００１１】
上記のように構成した電動氷削機においては、歯車伝達機構はモータの回転駆動を減速させて駆動軸に伝達する歯車減速機構であり、回り止め部材をモータの出力軸に設けた歯車の歯部に係合させるようにするのが好ましく、このようにしたときには、回り止め部材は歯車伝達機構の最もトルクの低い歯車に係合することになり、回り止め部材が小さな負荷で歯車が回転するのを止めることができた。
【図面の簡単な説明】
【００１２】
【図１】本発明による電動氷削機の一実施形態を示す斜視図である。
【図２】図１の縦方向断面図である。
【図３】モータの上側に歯車伝達機構と取り外し装置とを組み付けた斜視図（ａ）であり、（ａ）の分解図（ｂ）である。
【図４】蓋体を氷容器から取り外したときの斜め後方から見た斜視図である。
【図５】蓋体を取り外し、ストッパが解除位置となったときの縦方向断面図である。
【図６】蓋体を取り外し、回り止め部材を係合位置に移動させたときの縦方向断面図である。
【発明を実施するための形態】
【００１３】
以下に、本発明による電動氷削機の一実施形態を図面を参照して説明する。図１に示したように、本発明による電動氷削機１０はベースケーシング１１と、ベースケーシング１１の上部に設けられ、上面開口から氷を投入可能とした氷容器１２とを備えている。ベースケーシング１１は、内部に後述するモータ２０等の機械部品を収容する収容部１１ａと、収容部１１ａの後側に一体的に形成されて氷容器１２の後側上縁まで延びる中空の起立部１１ｂと、収容部１１ａの下部にて側方及び前方に突き出た台座部１１ｃとを備えている。
【００１４】
図２に示したように、氷容器１２は角氷を収容するものであり、略円錐台形をした内周面を有し、ベースケーシング１１の上部に一体的に組み付けられている。氷容器１２の周面にはスリットよりなる氷排出口１２ａが形成されており、氷容器１２の外周面には氷排出口１２ａの近傍位置に氷排出口１２ａから内部に突出する氷切削刃１３が取り付けられている。また、氷容器１２の外周面には氷排出口１２ａの周囲に氷排出口１２ａから落下する削り氷が周囲に飛散するのを防ぐ飛散防止ガード１２ｂが一体的に形成されている。なお、ベースケーシング１１の台座部１１ｃは氷排出口１２ａの直下の部分が凹んで形成されており、この凹んだ部分は氷排出口１２ａから落下する水受けの機能を有している。
【００１５】
図２に示したように、ベースケーシング１１の収容部１１ａの内部にはモータ２０と、駆動軸２３と、モータ２０の駆動を駆動軸２３に伝達する歯車伝達機構３０とが設けられている。モータ２０は駆動軸２３を回転駆動させるものであり、ベースケーシング１１の内部にて立設している。図２及び図３に示したように、モータ２０の上部には上面が開いたギヤケース２１が取り付けられており、モータ２０の出力軸２０ａはギヤケース２１の内側に突出している。また、ギヤケース２１には出力軸２０ａと平行に設けた中間軸２２と駆動軸２３の各下部が回転可能に支持されており、中間軸２２と駆動軸２３の各上部はベースケーシング１１の上壁下面に形成した軸受部分に回転可能に支持されている。また、駆動軸２３の上端部はベースケーシング１１の内部から氷容器１２の内部に突出して設けられている。駆動軸２３の上端部には上端から軸線方向に延びる雌ねじ穴よりなるねじ部２３ａが穿設されている。
【００１６】
図２及び図３に示したように、モータ２０の出力軸２０ａ、中間軸２２及び駆動軸２３には、これらを連結する歯車伝達機構３０として２組の歯車対３１（３１ａ，３１ｂ），３２（３２ａ，３２ｂ）が設けられている。これらの歯車対３１，３２のうち、モータ２０の出力軸２０ａには小歯車であるピニオンギヤ３１ａが固定されており、ピニオンギヤ３１ａは中間軸２２に固定した第１中間歯車３１ｂに噛合している。また、中間軸２２には第１中間歯車３１ｂと一体的に設けられて、この第１中間歯車３１ｂより小さな径をした第２中間歯車３２ａが固定されており、この第２中間歯車３２ａは駆動軸２３に固定した駆動側歯車３２ｂに噛合している。モータ２０の駆動は、ピニオンギヤ３１ａと第１中間歯車３１ａとからなる歯車対３１と、第２中間歯車３２ａと駆動側歯車３２ｂとからなる歯車対３２とによって駆動軸２３に伝達される。
【００１７】
図２に示したように、氷容器１２の内部には駆動軸２３の上端部に回転羽根１４が着脱可能に取り付けられている。回転羽根１４は駆動軸２３の回転駆動によって回転して、氷容器１２内に収容した角氷を回転させるものである。回転羽根１４は駆動軸２３に取り付けられる中央部のボス部１４ａと、ボス部１４ａとともに一体的に形成され、半径方向外向きに延びながら周方向に傾斜する３つ羽根部１４ｂと、ボス部１４ａに固定したボルト１４ｃとを有している。ボルト１４ｃを駆動軸２３のねじ部２３ａに螺着させることによって、回転羽根１４は氷容器１２の内部にて駆動軸２３に着脱可能に取り付けられている。回転羽根１４の上側にはホッパー１５が固定されており、ホッパー１５は氷容器１２の内部に角氷を導くようにしている。
【００１８】
図１及び図２に示したように、氷容器１２の上部には上面開口を塞ぐ蓋体１６が設けられており、蓋体１６はバヨネット結合機構によって氷容器１２に着脱可能に取り付けられている。蓋体１６の後部はベースケーシング１１の起立部１１ｂの上面も着脱可能に覆っている。また、蓋体１６の中央部には氷容器１２の内部に角氷を投入する氷投入口１６ａが設けられており、この氷投入口１６ａは蓋体１６に回動自在に設けたカバー１７によって開閉自在に覆われている。また、図４に示したように、蓋体１６の下面の後部にはカバー１７を押動したときに下方に移動する突起よりなる操作部材１８が設けられており、ベースケーシング１１の起立部１１ｂの上面には操作部材１８と対向する位置にモータ２０を駆動させるスイッチ２４が設けられている。
【００１９】
図２に示したように、ベースケーシング１１の内部には回転羽根１４を取り外すための取外し機構４０が設けられている。取外し機構４０は、歯車伝達機構３０の歯車の１つとしてピニオンギヤ３１ａに係合することで駆動軸２３を回り止めし、回転羽根１４を固定しているボルト１４ｃを駆動軸２３に対して緩めるまたは締め付けることを可能とするものである。図２及び図３に示したように、取外し機構４０は、ピニオンギヤ３１ａに係合可能な回り止め部材４１を備えており、この回り止め部材４１はギヤケース２１に一体的に設けた筒形ケース４２に前後方向に移動可能に支持されている。なお、筒形ケース４２はベースケーシング１１の起立部１１ｂに配置されている。
【００２０】
図２及び図３に示したように、回り止め部材４１は棒状の本体部４１ａと、本体部４１ａの先端部に一体的に設けた爪部４１ｂと、本体部４１ａの基端部に一体的に設けた操作ボタン部４１ｃとを備えている。回り止め部材４１の本体部４１ａは筒形ケース４２の内部に前後方向に移動可能に支持されている。本体部４１ａの先端部に設けた爪部４１ｂはピニオンギヤ３１ａの歯部と対向する位置に配置されており、回り止め部材４１を前進させて係合位置としたときには、爪部４１ｂがピニオンギヤ３１ａの歯部に係合し、回り止め部材４１を係合位置から後退させて離脱位置としたときには、爪部４１ｂがピニオンギヤ３１ａに係合せずに離間している。本体部４１ａの基端部に設けた操作ボタン部４１ｃは、本体部４１ａの基端に一体的に形成された円板部４１ｃ１と、円板部４１ｃの周部から先端側に延びる円筒部４１ｃ２と、円筒部４１ｃの周面の３箇所に形成された外側に爪を有した係止爪４１ｃ３とを有している。図２及び図４に示したように、操作ボタン部４１ｃの円板部４１ｃ１はベースケーシング１１の後壁に形成した貫通孔１１ｄから内側に押動操作可能に外側に露出している。操作ボタン部４１ｃの円筒部４１ｃ２は筒形ケース４２の内周面に前後方向に摺動自在に嵌合している。筒形ケース４２の周面には操作ボタン部４１ｃの係止爪４１ｃ３と対向する位置に前後方向に延びる係止孔４２ａが形成されており、係止爪４１ｃ３は筒形ケース４２の係止孔４２ａに係止して、回り止め部材４１が筒形ケース４２から抜けるのを防いでいる。また、筒形ケース４２の内部にはコイルスプリング４３が介装されており、このコイルスプリング４３は回り止め部材４１を離脱位置に付勢している。
【００２１】
図２及び図３に示したように、筒形ケース４２の上部にはストッパ４４が設けられており、ストッパ４４は回り止め部材４１が離脱位置から係合位置に移動するのを規制または許可するものである。ストッパ４４は上下方向に延びる略棒状のシャフト部４４ａと、シャフト部４４ａの前側下部にて下側に垂れ下がる上下を逆向きにしたＬ字形の係止片部４４ｂとを一体的に形成したものである。筒形ケース４２の上部には上面が開口した箱形のガイド部４２ｂが形成されており、ガイド部４２ｂにはストッパ４４のシャフト部４４ａの下端部が上下動可能に支持されている。また、シャフト部４４ａの上端部はベースケーシング１１の起立部１１ｂの上面に形成した挿通孔１１ｅに上下動可能に挿通されている。ガイド部４２ｂの内部にはコイルスプリング４５が介装されており、ストッパ４４はこのコイルスプリング４５によって起立部１１ｂの上面より突出するように付勢されている。図２に示したように、蓋体１６が氷容器１２の上面を覆っているときには、シャフト部４４ａの上端部は蓋体１６に当接することで起立部１１ｂの上面より突出せずにストッパ４４が規制位置となる。これに対し、図４及び図５に示したように、蓋体１６を氷容器１２から取り外して上面開口を覆わないときには、シャフト部４４ａの上端部はコイルスプリング４５の付勢力によって起立部１１ｂの上面から上方に突出してストッパ４４が解除位置となる。
【００２２】
図２及び図３に示したように、筒形ケース４２の周面の上部にはガイド部４２ｂの前側に貫通孔４２ｃが形成されており、この貫通孔４２ｃは離脱位置にある回り止め部材４１の操作ボタン部４１ｃの円筒部４１ｃ２の直ぐ前側に位置している。貫通孔４２ｃにはストッパ４４の係止片部４４ｂの下端部が上下方向に移動可能に挿通されている。図２に示したように、蓋体１６が氷容器１２の上面を覆うようにして、ストッパ４４のシャフト部４４ａをコイルスプリング４５の付勢力に抗して下側に移動させた規制位置とした状態では、係止片部４４ｂの下端部は筒形ケース４２の内部まで進入し、回り止め部材４１の操作ボタン部４１ｃの円筒部４１ｃ２の前端が係止片部４４ｂに係止して、回り止め部材４１は離脱位置から係合位置に移動するのを規制されている。これに対し、図５に示したように、蓋体１６を氷容器１２から取り外して上面開口を覆わないようにして、ストッパ４４のシャフト部４４ａがコイルスプリング４５の付勢力により上側に付勢されて解除位置にある状態では、係止片部４４ｂの下端部は筒形ケース４２の内部まで達してなく、回り止め部材４１は離脱位置から係合位置まで移動可能となっている。
【００２３】
上記のように構成した電動氷削機１０の作動について説明する。先ず、蓋体１６のカバー１７を開けて、蓋体１６の氷投入口１６ａから氷容器１２の内部に角氷を投入する。カバー１７を下側に押動すると、蓋体１６の後部に設けた操作部材１８がスイッチ２４を押動してオンさせ、モータ２０はスイッチ２４のオンによって駆動する。モータ２０の駆動は歯車伝達機構３０により駆動軸２３に伝達され、駆動軸２３の回転駆動によって回転羽根１４は氷容器１２内で回転する。氷容器１２内の角氷は回転する回転羽根１４によって遠心力を付与され、回転する角氷は遠心力によって氷容器１２の内周面に押しつけられ、氷容器１２の内部に突出する氷切削刃１３により削り取られる。削り取られた氷は氷排出口１２ａから落下し、氷排出口１２ａの下側にてカップ等の容器で受けられる。
【００２４】
この電動氷削機１０では、氷容器１２の内部を拭き取りにより清掃するとともに、回転羽根１４を洗浄するために、回転羽根１４を駆動軸２３から取り外し可能としている。この電動氷削機１０の取外し機構４０を用いた回転羽根１４の取り外しの作業について詳述する。先ず、図２に示したように、蓋体１６が氷容器１２の上面を覆っているとき、すなわち削り氷を製造可能な状態であるときには、ストッパ４４のシャフト部４４ａは起立部１１ｂの上面にて蓋体１６によって下側に押しつけられて、ストッパ４４は規制位置となっている。ストッパ４４が規制位置にあるときには、ストッパ４４の係止片部４４ｂは筒形ケース４２の内部まで挿通されており、回り止め部材４１はストッパ４４の係止片部４４ｂによって離脱位置から係合位置に移動できないように規制されている。蓋体１６が氷容器１２の上面を覆っているときには、カバー１７を下側に押動して操作部材１８によりスイッチ２４をオンさせることで、モータ２０を駆動させることができる状態である。このようなときに、回り止め部材４１はストッパ４４によって係合位置に移動するのが規制されているので、回り止め部材４１を誤って係合位置に移動させることがない。これにより、回り止め部材４１が回転するピニオンギヤ３１ａによって破損しない。
【００２５】
図５に示したように、蓋体１６を氷容器１２から取り外して上面開口を覆っていない、すなわち、削り氷を製造しないときには、ストッパ４４のシャフト部４４ａはコイルスプリング４５の付勢力によりベースケーシング１１の起立部１１ｂの上面から上方に突出して、ストッパ４４は解除位置となる。ストッパ４４が解除位置となると、ストッパ４４の係止片部４４ｂは筒形ケース４２の内部まで挿通されてない状態となり、回り止め部材４１は離脱位置から係合位置に移動可能となる。この状態で、図６に示したように、回り止め部材４１の操作ボタン部４１ｃを前側（内側）に押動すると、回り止め部材４１が離脱位置から係合位置まで移動し、回り止め部材４１の先端部の爪部４１ｂがピニオンギヤ３１ａに係合する。この状態では、駆動軸２３は回り止めされており、回転羽根１４（及び／またはホッパー１５）を駆動軸２３に対して相対的に回転させて、駆動軸２３から取り外すことができる。このように、蓋体１６を氷容器１２から取り外して上面開口を覆っていないときだけ、回り止め部材４１を離脱位置から係合位置に移動させて、駆動軸２３を回り止めすることができるようになった。
【００２６】
上記のように構成した電動氷削機１０においては、ベースケーシング１１には歯車伝達機構３０を構成する何れか１つの歯車としてピニオンギヤ３１ａの歯部に係合する係合位置と離脱する離脱位置との間で進退可能に支持され、ピニオンギヤ３１ａの歯部に係合することで駆動軸２３を回り止めする回り止め部材４１と、回り止め部材４１が離脱位置から係合位置に移動するのを規制する規制位置と移動を許可する解除位置との間で進退可能に支持されたストッパ４４とを備えた。
【００２７】
図５に示したように、蓋体１６によって氷容器１２の上面開口を覆っていないときのように削り氷を製造しない状態のときには、ストッパ４４は解除位置となり、回り止め部材４１を解除位置から係合位置に移動させることができる。この状態で、図６に示したように、回り止め部材４１を解除位置から係合位置に移動させると、回り止め部材４１は歯車伝達機構３０のピニオンギヤ３１ａの歯部に係合し、駆動軸２３は回り止めされ、回転羽根１４を駆動軸２３から相対的に回転させることで取り外すことができる。
【００２８】
これに対し、図２に示したように、蓋体１６によって氷容器１２の上面開口を覆っているときのように削り氷を製造可能な状態であるときには、ストッパ４４は規制位置にあるので、回り止め部材４１を解除位置から係合位置に移動させることができない。これにより、モータ２０を駆動させることで歯車伝達機構３０の歯車対３１，３２を介して駆動軸２３を回転させるときに、回り止め部材４１が係合位置でピニオンギヤ３１ａの歯部に係合することがなく、回り止め部材４１がモータ２０の駆動によって回転するピニオンギヤ３１ａによって破損しないようになった。
【００２９】
また、背景技術に示した従来の実施形態のように、氷容器をベースケーシングに対して回動させることによって、係合片をカムによって下側に移動させて歯車の上面のストッパに係合させたものでは、氷容器を正確に回動させなければならないが、この実施形態の電動氷削機１０であれば、蓋体１６を氷容器１２から取り外していれば、回し止め部材４１を単に押動するだけで駆動軸２３を回り止めでき、回転羽根１４の取り外し作業が簡単となった。また、従来の実施形態では、氷容器をベースケーシングに対して着脱可能とし、ベースケーシングの上面に係合片を挿通する貫通孔を形成していたので、氷容器をベースケーシングから取り外したときに、ベースケーシングの貫通孔から内部に水が流入するおそれがあったが、この実施形態の電動氷削機１０であれば、氷容器１２をベースケーシング１１に一体的に組み付けているので、ベースケーシング１１の内部に氷容器１２からの水が流入しないようになった。
【００３０】
また、この実施形態の電動氷削機１０においては、蓋体１６には、蓋体１６が氷容器１２の上面開口を覆うときにモータ２０を駆動するように操作可能とした操作部材１８を備えている。蓋体１６が氷容器１２の上面開口を覆うようにして、操作部材１８がモータ２０を駆動するように操作可能な状態であるときには、回り止め部材４１はストッパ４４によって係合位置に移動させることができないようになっている。これにより、回り止め部材４１がモータ２０の駆動によって回転するピニオンギヤ３１ａによって破損するのを確実に防ぐことができた。
【００３１】
また、この実施形態の電動氷削機１０においては、歯車伝達機構３０はモータ２０の回転駆動を減速させて駆動軸２３に伝達するものであり、回り止め部材４１をモータ２０の出力軸２０ａに設けたピニオンギヤ３１ａの歯部に係合させた。このようにしたことで、回り止め部材４１は歯車伝達機構３０の最もトルクの低い歯車に係合することになり、回り止め部材４１が小さな負荷でピニオンギヤ３１ａが回転するのを止めることができた。なお、この実施形態では、回り止め部材４１はピニオンギヤ３１ａの歯部に係合させることで駆動軸２３を回り止めさせたが、本発明はこれに限られるものでなく、ピニオンギヤ３１ａよりトルクが大きくなるが他の歯車３１ｂ，３２ａ，３２ｂの何れか１つに回り止め部材４１を係合させるようにしてもよい。
【００３２】
上記のように構成した電動氷削機１０においては、駆動軸２３の上端部に上端から軸線方向に延びる雌ねじ穴よりなるねじ部２３ａを形成し、ねじ部２３ａに回転羽根１４のボルト１４ｃを螺着させたが、本発明はこれに限られるものでなく、駆動軸２３の上端部の外周面に雄ねじを形成するとともに、回転羽根１４のボス部に雌ねじ（ナット）を設け、回転羽根１４の雌ねじを駆動軸２３の雄ねじに螺着させて、回転羽根１４を駆動軸２３に取り付けるようにしてもよく、このようにしたときにも同様の作用効果を得ることができる。
【符号の説明】
【００３３】
１０…電動氷削機、１１…ベースケーシング、１２…氷容器、１２ａ…氷排出口、１３…氷切削刃、１４…回転羽根、１６…蓋体、１８…操作部材、２０…モータ、２０ａ…出力軸、２３…駆動軸、３０…歯車伝達機構、３１，３２…歯車対、３１ａ，３１ｂ，３２ａ，３２ｂ…歯車、４１…回り止め部材、４４…ストッパ。
【図１】
2015219001.tif 000003
【図２】
2015219001.tif 000004
【図３】
2015219001.tif 000005
【図４】
2015219001.tif 000006
【図５】
2015219001.tif 000007
【図６】
2015219001.tif 000008